(57)【要約】【課題】浴槽の湯はり中の給湯温度の変動を抑制できるとともに、湯はりを完了するまでの時間が延びることを防止でき、使用者の満足度を向上させることが可能な貯湯式給湯装置を提供する。【解決手段】貯湯式給湯装置は、中温取出切替弁、混合弁、及び、浴槽へ供給される湯の通路を開放及び閉鎖する開閉弁を制御する制御装置を備える。制御装置は、中温取出切替弁が低温位置から中温位置への切替動作をしている最中に開閉弁を開放することを禁止する第一禁止手段と、開閉弁が開放しているときに中温取出切替弁が切替動作することを禁止する第二禁止手段とを有する。【選択図】図２
2019100672.tif 000002
【特許請求の範囲】
【請求項１】
貯湯槽と、
前記貯湯槽の第一位置に連通する高温配管と、
前記第一位置よりも低位の第二位置で前記貯湯槽に連通する中温配管と、
前記貯湯槽から前記中温配管を通って供給される中温水が流入する中温入口と、前記中温水よりも温度の低い低温水が流入する低温入口と、水出口とを有し、前記中温入口を前記水出口へ連通させる中温位置と、前記低温入口を前記水出口へ連通させる低温位置とに流路を切り替え可能な中温取出切替弁と、
前記貯湯槽から前記高温配管を通って供給される高温湯が流入する湯側入口と、前記中温取出切替弁の前記水出口からの水が流入する水側入口と、前記湯側入口から流入した高温湯と前記水側入口から流入した水とが混合した湯が出る湯出口とを有する混合弁と、
前記混合弁の前記湯出口から浴槽へ供給される湯の通路を開放及び閉鎖する開閉弁と、
前記中温取出切替弁、前記混合弁、及び前記開閉弁を制御する制御装置と、
を備え、
前記制御装置は、前記中温取出切替弁が前記低温位置から前記中温位置への切替動作をしている最中に前記開閉弁を開放することを禁止する第一禁止手段と、前記開閉弁が開放しているときに前記中温取出切替弁が切替動作することを禁止する第二禁止手段とを有する
貯湯式給湯装置。
【請求項２】
前記第一禁止手段は、前記中温取出切替弁の切替動作に伴って前記混合弁の混合比を調整する動作をしている最中に前記開閉弁を開放することをさらに禁止する請求項１に記載の貯湯式給湯装置。
【請求項３】
前記第一禁止手段は、前記中温取出切替弁が前記中温位置から前記低温位置への切替動作をしている最中に前記開閉弁を開放することをさらに禁止する請求項１または請求項２に記載の貯湯式給湯装置。
【請求項４】
前記第一禁止手段は、前記中温取出切替弁が前記中温位置から前記低温位置への切替動作をしている最中には前記開閉弁を開放することを許容する請求項１または請求項２に記載の貯湯式給湯装置。
【請求項５】
前記中温取出切替弁の前記中温入口へ供給される中温水の温度である中温水温度を検出する中温水温度検出手段と、
前記中温取出切替弁の前記低温入口へ供給される低温水の温度である低温水温度を検出する低温水温度検出手段と、
前記混合弁の前記湯側入口へ供給される高温湯の温度である高温湯温度を検出する高温湯温度検出手段と、
をさらに備え、
前記混合弁の前記湯出口から流出する湯の温度は、給湯温度であり、
前記制御装置は、前記中温水温度と、前記低温水温度と、前記高温湯温度と、前記混合弁の混合比情報とに基づいて、前記中温取出切替弁が前記低温位置と前記中温位置との間で切替動作を行う前と後での前記給湯温度の変化量を予測し、その予測された前記給湯温度の変化量が第一基準値以内の場合には、前記第一禁止手段を無効とし、前記開閉弁を開放することを許容する請求項１から請求項４のいずれか一項に記載の貯湯式給湯装置。
【請求項６】
前記制御装置は、前記浴槽内に浴水が溜められている場合において、前記予測された前記給湯温度の変化量が、前記第一基準値よりも大きい第二基準値以内の場合には、前記第一禁止手段を無効とし、前記開閉弁を開放することを許容する請求項５に記載の貯湯式給湯装置。
【請求項７】
前記制御装置は、使用者が予約した湯はり完了時刻までに前記浴槽に湯が溜まるように前記浴槽に給湯する湯はり予約機能を有し、
前記制御装置は、前記湯はり予約機能による給湯を開始する時点よりも前の時点から、前記湯はり予約機能による給湯を終了する時点までの間、前記中温取出切替弁が切替動作することを禁止する第三禁止手段をさらに有する請求項１から請求項６のいずれか一項に記載の貯湯式給湯装置。
【請求項８】
前記制御装置は、前記浴槽に湯を溜める湯はりの開始時に、前記浴槽に接続された循環回路内を満たすための呼び水を供給した後に前記開閉弁を一旦閉鎖し、
前記制御装置は、前記第一禁止手段により前記開閉弁を開放することが禁止されている最中に、使用者が前記湯はりを開始させる指示をした場合には、前記呼び水に相当する量の水を供給する間だけ前記第一禁止手段を一時的に無効として前記開閉弁を開放する請求項１から請求項７のいずれか一項に記載の貯湯式給湯装置。
【請求項９】
前記浴槽に湯を溜める湯はりを開始させる指示を使用者がしてから所定時間が経過した場合には、前記制御装置は、前記第一禁止手段を無効として前記開閉弁を開放する請求項１から請求項８のいずれか一項に記載の貯湯式給湯装置。
【請求項１０】
前記第一禁止手段により前記開閉弁を開放することが禁止されている最中に、前記浴槽に湯を溜める湯はりを開始させる指示を使用者がした場合に、前記湯はりの開始の準備をしていることと、前記湯はりの開始が遅れる可能性があることとの少なくとも一方に関する情報を報知する報知手段をさらに備える請求項１から請求項９のいずれか一項に記載の貯湯式給湯装置。
【発明の詳細な説明】
【技術分野】
【０００１】
本発明は、貯湯式給湯装置に関する。
【背景技術】
【０００２】
貯湯タンクに貯えた湯を浴槽などへ供給する機能を有した貯湯式給湯装置が広く用いられている。貯湯タンクの中間部に溜まる中温水は、沸き上げ効率を低下させる要因になる。下記特許文献１に開示された貯湯式給湯装置は、以下のように構成される。貯湯タンクの中間部から中温水を取り出して給湯に利用可能とするための切替弁を備える。この切替弁を切り替えると、混合弁に供給される温水の温度が変化するため、給湯温度が変動する可能性がある。浴槽の湯はり中に切替弁を切り替える必要が生じた場合には、給湯温度の変動を防止するため、浴槽への給湯通路にある開閉弁を閉じることで一時的に湯はりを停止し、その間に切替弁を切り替える動作及び混合弁の混合比を調整する動作を行った後、開閉弁を開いて湯はりを再開する。
【先行技術文献】
【特許文献】
【０００３】
【特許文献１】特開２００５−４９０６５号公報
【発明の概要】
【発明が解決しようとする課題】
【０００４】
特許文献１の貯湯式給湯装置では、一時的に湯はりを停止している間に切替弁を切り替える動作及び混合弁の混合比を調整する動作を行うので、湯はりを完了するまでの時間が延びるという問題がある。また、湯はりの最中に湯はりが一時停止することに対して、使用者が故障だと勘違いする可能性がある。
【０００５】
本発明は、上述のような課題を解決するためになされたもので、浴槽の湯はり中の給湯温度の変動を抑制できるとともに、湯はりを完了するまでの時間が延びることを防止でき、使用者の満足度を向上させることが可能な貯湯式給湯装置を提供することを目的とする。
【課題を解決するための手段】
【０００６】
本発明に係る貯湯式給湯装置は、貯湯槽と、貯湯槽の第一位置に連通する高温配管と、第一位置よりも低位の第二位置で貯湯槽に連通する中温配管と、貯湯槽から中温配管を通って供給される中温水が流入する中温入口と、中温水よりも温度の低い低温水が流入する低温入口と、水出口とを有し、中温入口を水出口へ連通させる中温位置と、低温入口を水出口へ連通させる低温位置とに流路を切り替え可能な中温取出切替弁と、貯湯槽から高温配管を通って供給される高温湯が流入する湯側入口と、中温取出切替弁の水出口からの水が流入する水側入口と、湯側入口から流入した高温湯と水側入口から流入した水とが混合した湯が出る湯出口とを有する混合弁と、混合弁の湯出口から浴槽へ供給される湯の通路を開放及び閉鎖する開閉弁と、中温取出切替弁、混合弁、及び開閉弁を制御する制御装置と、を備え、制御装置は、中温取出切替弁が低温位置から中温位置への切替動作をしている最中に開閉弁を開放することを禁止する第一禁止手段と、開閉弁が開放しているときに中温取出切替弁が切替動作することを禁止する第二禁止手段とを有するものである。
【発明の効果】
【０００７】
本発明によれば、浴槽の湯はり中の給湯温度の変動を抑制できるとともに、湯はりを完了するまでの時間が延びることを防止でき、使用者の満足度を向上させることが可能な貯湯式給湯装置を提供することが可能となる。
【図面の簡単な説明】
【０００８】
【図１】実施の形態１による貯湯式給湯装置を示す図である。
【図２】実施の形態１において制御装置が行う処理を示すフローチャートである。
【図３】中温取出切替弁が低温位置から中温位置への切替動作をしている最中に浴槽湯はりの要求が発生した場合の中温取出切替弁、風呂給湯側電動混合弁、及び風呂開閉弁の動作と、浴槽への給湯温度の時間的な変化の例を示すタイミングチャートである。
【図４】中温取出切替弁が低温位置から中温位置への切替動作をしている最中に浴槽湯はりの要求が発生した場合の中温取出切替弁、風呂給湯側電動混合弁、及び風呂開閉弁の動作と、浴槽への給湯温度の時間的な変化の例を示すタイミングチャートである。
【図５】風呂開閉弁が開放した浴槽湯はりの最中に中温取出切替弁の切替要求が発生した場合の中温取出切替弁、風呂給湯側電動混合弁、及び風呂開閉弁の動作と、浴槽への給湯温度と、浴槽への積算給湯量の時間的な変化の例を示すタイミングチャートである。
【図６】風呂開閉弁が開放した浴槽湯はりの最中に中温取出切替弁の切替要求が発生した場合の中温取出切替弁、風呂給湯側電動混合弁、及び風呂開閉弁の動作と、浴槽への給湯温度と、浴槽への積算給湯量の時間的な変化の例を示すタイミングチャートである。
【図７】実施の形態２における制御の一例を説明するための図である。
【図８】実施の形態２における制御の一例を説明するための図である。
【図９】実施の形態６におけるリモコンの表示部の表示例を示す図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による貯湯式給湯装置を示す図である。図１に示すように、本実施の形態の貯湯式給湯装置は、水を加熱する加熱手段であるヒートポンプユニット２と、貯湯槽１を有する貯湯ユニット４０とを備える。ヒートポンプユニット２と、貯湯ユニット４０との間は、ＨＰ往き配管４８と、ＨＰ戻り配管４９と、電気配線（図示省略）とを介して接続されている。ヒートポンプユニット２内には、圧縮機、給湯用熱交換器、膨張弁、空気熱交換器を順次冷媒配管で接続したヒートポンプ回路が備えられている。
【００１１】
貯湯槽１は、湯水を貯留する。貯湯槽１の内部では、温度による水の密度の差によって、上側が高温で下側が低温になる温度成層を形成することができる。本実施の形態における貯湯槽１は、貯湯タンクを一つのみ備える。変形例として、貯湯槽１は、直列に接続された複数の貯湯タンクを備えたものでもよい。直列に接続された複数の貯湯タンクでは、上位側の貯湯タンクの下部と、当該貯湯タンクに対して低位側となる次の貯湯タンクの上部とが管を介して順次連結される。以下の説明において、貯湯槽１における上下方向の位置に関して言及するが、直列に接続された複数の貯湯タンクを貯湯槽１が備える場合には、それらの複数の貯湯タンクを含む貯湯槽１全体での階層において、上下方向の位置が特定されるものとする。以下の説明では、貯湯槽１に溜められた湯水を「タンク水」と呼ぶことがある。
【００１２】
貯湯槽１の外面には、貯湯槽１の上部からの容積が、例えば０Ｌ、５０Ｌ、１００Ｌ、１５０Ｌ、１７０Ｌ、２２０Ｌの各位置に、第１の温度センサ５ａ、第２の温度センサ５ｂ、第３の温度センサ５ｃ、第４の温度センサ５ｄ、第５の温度センサ５ｅ、第６の温度センサ５ｆがそれぞれ設けられており、各位置で水温を検出する。第１〜第６の温度センサ５ａ〜５ｆは、貯湯槽１内の残湯熱量を検出する残湯熱量検出手段として機能する。ＨＰ往き配管４８には、ヒートポンプユニット２への入水温度を検出する第７の温度センサ５ｇが設けられている。
【００１３】
貯湯ユニット４０内には、循環ポンプ４、一般給湯側電動混合弁７、高温配管８、給水管９、風呂給湯側電動混合弁１１、風呂開閉弁１３、風呂循環ポンプ１４、入水切替弁１７、給湯用流量センサ１９、給湯用温度センサ２０、風呂用流量センサ２１、風呂用温度センサ２２、給水温度センサ２３、出湯切替弁２６、中温戻し切替弁２７、中温取出切替弁２８、中温配管３０などがさらに備えられている。
【００１４】
給水管９の上流は、例えば水道管のような水源に接続されている。給水管９の下流側は、給水管９ａ及び給水管９ｂに分岐している。給水管９ａは、貯湯槽１の下部に接続されている。水源から供給される低温水が給水管９ａから貯湯槽１の下部に流入することで、貯湯槽１内は満水状態に維持される。
【００１５】
中温取出切替弁２８は、中温入口２８ａ、低温入口２８ｂ、及び水出口２８ｃを有する。低温入口２８ｂに給水管９ｂが接続されている。中温入口２８ａに中温配管３０の一端が接続されている。高温配管８の上流部は、貯湯槽１の上部にある第一位置１ａにて貯湯槽１内に連通する。中温配管３０の他端は、第一位置１ａよりも低位にある第二位置１ｂにて貯湯槽１内に連通する。第二位置１ｂは、給水管９ａが接続された貯湯槽１の下部よりも上位にある。すなわち、第二位置１ｂは、貯湯槽１の上部と下部との間の中間部にある。
【００１６】
貯湯槽１から中温配管３０を通って供給される中温水が中温入口２８ａに流入する。当該中温水よりも温度の低い低温水が低温入口２８ｂに流入する。本実施の形態では、水源から給水管９ｂを通って供給される低温水が低温入口２８ｂに流入する。中温取出切替弁２８は、「中温位置」と「低温位置」とに流路を切り替え可能である。「中温位置」では、中温入口２８ａが水出口２８ｃへ連通し、低温入口２８ｂが遮断される。「中温位置」のときには、中温配管３０からの中温水が水出口２８ｃへ流れる。「低温位置」では、低温入口２８ｂが水出口２８ｃへ連通し、中温入口２８ａが遮断される。「低温位置」のときには、給水管９ｂからの低温水が水出口２８ｃへ流れる。
【００１７】
一般給湯側電動混合弁７は、湯側入口７ａ、水側入口７ｂ、及び湯出口７ｃを備える。風呂給湯側電動混合弁１１は、湯側入口１１ａ、水側入口１１ｂ、及び湯出口１１ｃを備える。高温配管８の下流部は、湯側入口７ａ及び湯側入口１１ａのそれぞれに連通している。中温取出切替弁２８の水出口２８ｃは、水側入口７ｂ及び水側入口１１ｂのそれぞれに連通している。
【００１８】
第一給湯管１０の一端は、湯出口７ｃに接続されている。一般給湯側電動混合弁７は、貯湯槽１から高温配管８を通って供給される高温湯と、中温取出切替弁２８の水出口２８ｃからの水とを混合し、温度調節する。その温度調節された湯は、第一給湯管１０に流入する。第一給湯管１０を通る湯は、例えば、蛇口、シャワーなどに供給される。
【００１９】
第二給湯管１８の一端は、湯出口１１ｃに接続されている。風呂給湯側電動混合弁１１は、貯湯槽１から高温配管８を通って供給される高温湯と、中温取出切替弁２８の水出口２８ｃからの水とを混合し、温度調節する。その温度調節された湯は、第二給湯管１８に流入する。
【００２０】
給水管９には、給水温度センサ２３が設けられている。給水温度センサ２３は、給水管９を流れる水の温度である給水温度を検出する。第一給湯管１０には、給湯用流量センサ１９及び給湯用温度センサ２０が設けられている。給湯用流量センサ１９は、第一給湯管１０を流れる湯水の流量を検出する。給湯用温度センサ２０は、第一給湯管１０を流れる湯水の温度である第一給湯温度を検出する。第二給湯管１８には、風呂開閉弁１３、風呂用流量センサ２１、及び風呂用温度センサ２２が設けられている。風呂用流量センサ２１は、第二給湯管１８を流れる湯水の流量を検出する。風呂用温度センサ２２は、第二給湯管１８を流れる湯水の温度である第二給湯温度を検出する。
【００２１】
第二給湯管１８は、風呂側循環回路１２に接続されている。貯湯ユニット４０内には熱交換器１５が配置されている。風呂側循環回路１２は、貯湯式給湯装置の外部の浴室にある浴槽（図示省略）に接続されている。以下の説明では、浴槽に溜められた湯を「浴水」と呼ぶことがある。風呂側循環回路１２は、浴槽内から浴水を引き込み、熱交換器１５を経由した浴水を浴槽内に戻すことのできる経路である。風呂側循環回路１２の途中に接続された風呂循環ポンプ１４を運転すると、浴槽から浴水が風呂側循環回路１２を通過して浴槽に戻るように循環する。
【００２２】
第二給湯管１８は、風呂給湯側電動混合弁１１の湯出口１１ｃから浴槽へ供給される湯の通路を形成する。風呂開閉弁１３は、第二給湯管１８の通路を開放及び閉鎖する。浴槽へ湯を供給するとき以外は、風呂開閉弁１３が閉鎖され、湯が第二給湯管１８に流れない。貯湯ユニット４０から浴槽に湯を注入する動作を行うときには、以下のようになる。風呂開閉弁１３が開放され、第二給湯管１８に湯の流れが発生する。風呂給湯側電動混合弁１１は、第二給湯管１８を流れる湯の温度が目標温度に等しくなるように制御される。第二給湯管１８を通過した湯は、風呂側循環回路１２を通って、浴槽に流入する。風呂開閉弁１３を閉鎖すると、浴槽への湯の注入が停止する。以下の説明では、上記のようにして浴槽に湯を溜める動作を「浴槽湯はり」と称する。
【００２３】
入水切替弁１７は、入口となるａポート及びｂポートと、出口となるｃポートとを有する流路切替手段である。入水切替弁１７は、ａ−ｃ、ｂ−ｃの２つの経路の間で流路切替可能に構成されている。
【００２４】
出湯切替弁２６は、入口となるａポート及びｂポートと、出口となるｃポート及びｄポートとを有する流路切替手段である。出湯切替弁２６は、ａ−ｃ、ａ−ｄ、ｂ−ｃ、ｂ−ｄの４つの経路の間で流路切替可能に構成されている。
【００２５】
中温戻し切替弁２７は、入口となるａポートと、出口となるｂポート、ｃポート、及びｄポートとを有する流路切替手段である。中温戻し切替弁２７は、ａ−ｂ、ａ−ｃ、ａ−ｄの３つの経路の間で流路切替可能に構成されている。
【００２６】
貯湯ユニット４０は、低温配管４１、第一送水配管４２、第一温水配管４３、第二温水配管４４、第三温水配管４５、第四温水配管４６、第五温水配管４７を有している。低温配管４１は、貯湯槽１の下部と入水切替弁１７のａポートとの間を接続する。第一送水配管４２は、入水切替弁１７のｃポートと循環ポンプ４の入口との間を接続する。ＨＰ往き配管４８は、循環ポンプ４の出口と、ヒートポンプユニット２の入口との間を接続する。ＨＰ戻り配管４９は、ヒートポンプユニット２の出口と出湯切替弁２６のｂポートとの間を接続する。第一温水配管４３は、出湯切替弁２６のｄポートと、中温戻し切替弁２７のａポートとの間を接続する。第三温水配管４５は、中温戻し切替弁２７のｂポートと、貯湯槽１の上部の温水導入出口１ｃとの間を接続する。第四温水配管４６は、中温戻し切替弁２７のｄポートと、高温配管８の途中の位置との間を接続する。第五温水配管４７は、中温戻し切替弁２７のｃポートと、貯湯槽１の上部から中間部の間に設けられた温水導入口１ｄとの間を接続する。
【００２７】
温水導入出口１ｃの近くに上部温度センサ６が設けられている。上部温度センサ６によれば、ヒートポンプユニット２によって加熱されて貯湯槽１の上部に戻される湯の温度、及び貯湯槽１から高温配管８へ供給される高温湯の温度を検出可能である。
【００２８】
第一タンク循環配管１６は、第三温水配管４５の途中の位置と、熱交換器１５のタンク水の入口との間を接続する。第二タンク循環配管５０は、熱交換器１５のタンク水の出口と、入水切替弁１７のｂポートとの間を接続する。第二送水配管５１は、ＨＰ往き配管４８における循環ポンプ４とヒートポンプユニット２の入口との間から分岐し、出湯切替弁２６のａポートに接続される。風呂熱回収配管３１は、第二タンク循環配管５０の途中の位置から分岐して、中温配管３０の途中の位置に接続されている。
【００２９】
本実施の形態の貯湯式給湯装置は、制御手段としての制御装置２４を備える。制御装置２４は、上述した各アクチュエータ及び各センサと電気的に接続されている。貯湯式給湯装置の運転は、制御装置２４により制御される。
【００３０】
制御装置２４と、リモコン２５との間は、有線通信または無線通信により、双方向に通信可能である。制御装置２４と、リモコン２５とが、ネットワークを介して通信可能でもよい。リモコン２５は、ユーザーインターフェースの例である。リモコン２５は、使用者が操作する操作部と、情報を表示する表示部２５ａとを有する。リモコン２５は、操作部及び表示部２５ａの両方の機能を有するタッチスクリーンを備えてもよい。使用者は、リモコン２５を操作することで、貯湯式給湯装置を遠隔操作し、各種の設定などを行うことが可能である。リモコン２５の表示部２５ａは、使用者に情報を報知する報知手段としての機能を有する。本実施の形態におけるリモコン２５は、表示部２５ａを報知手段として備えるが、変形例として、例えば音声案内装置のような他の報知手段を備えてもよい。
【００３１】
本実施の形態において、リモコン２５は、例えば台所、リビング、浴室などの壁に設置されたものでもよい。または、例えばスマートフォンのような携帯情報端末がリモコン２５のようなユーザーインターフェースとしての機能を有するように構成してもよい。複数のリモコン２５が制御装置２４に対して通信可能でもよい。
【００３２】
使用者は、リモコン２５を操作することで、一般給湯側電動混合弁７についての設定温度及び風呂給湯側電動混合弁１１についての設定温度をそれぞれ変更できる。以下の説明では、一般給湯側電動混合弁７についての設定温度を「給湯設定温度」と呼び、風呂給湯側電動混合弁１１についての設定温度を「湯はり設定温度」と呼ぶ。
【００３３】
本実施の形態の貯湯式給湯装置は、ヒートポンプユニット２で加熱された湯を貯湯槽１に流入させる貯湯運転を実行できる。貯湯運転では、以下のようになる。ヒートポンプユニット２及び循環ポンプ４が運転される。貯湯槽１の下部から取り出された水が、低温配管４１、入水切替弁１７、第一送水配管４２、循環ポンプ４、及びＨＰ往き配管４８を通ってヒートポンプユニット２内に導かれる。ヒートポンプユニット２内で加熱された高温の湯は、ＨＰ戻り配管４９、出湯切替弁２６、第一温水配管４３、中温戻し切替弁２７、及び第三温水配管４５を通って、温水導入出口１ｃから貯湯槽１に流入する。貯湯運転は、典型的には、深夜電力時間帯を中心に実施され、翌日に使用される分の湯を貯湯槽１に貯える。
【００３４】
給湯用流量センサ１９が水流を検出すると、制御装置２４は、給湯用温度センサ２０により検出される温度が、目標温度である給湯設定温度に等しくなるように、一般給湯側電動混合弁７での混合比を調整するフィードバック制御を行う。風呂用流量センサ２１が水流を検出すると、制御装置２４は、風呂用温度センサ２２により検出される温度が、目標温度である湯はり設定温度に等しくなるように、風呂給湯側電動混合弁１１での混合比を調整するフィードバック制御を行う。
【００３５】
中温取出切替弁２８が低温位置にあるときには、水源からの低温水と、貯湯槽１の上部からの高温湯とが、一般給湯側電動混合弁７及び風呂給湯側電動混合弁１１にて混合され、給湯に利用される。中温取出切替弁２８が中温位置にあるときには、貯湯槽１から中温配管３０へ流出した中温水と、貯湯槽１の上部からの高温湯とが、一般給湯側電動混合弁７及び風呂給湯側電動混合弁１１にて混合され、給湯に利用される。本実施の形態であれば、貯湯槽１から中温配管３０へ流出する中温水を給湯に利用可能であるので、貯湯槽１内の中温水の量を低減できる。このため、ヒートポンプユニット２への入水温度を低くすることができ、ヒートポンプユニット２の運転効率を向上できる。以下の説明では、中温取出切替弁２８を中温位置とすることで中温水を給湯に利用することを「中温水利用」と呼ぶことがある。
【００３６】
本実施の形態の貯湯式給湯装置は、追い焚き運転を実行できる。追い焚き運転は、熱交換器１５にて、貯湯槽１から循環するタンク水により、浴槽から循環する浴水を加熱する運転である。追い焚き運転のときには、以下のようになる。風呂循環ポンプ１４が運転され、風呂側循環回路１２に浴水が循環する。循環ポンプ４が運転され、貯湯槽１から取り出されたタンク水が次のように循環する。貯湯槽１の上部の温水導入出口１ｃから流出した高温のタンク水は、第一タンク循環配管１６を通って、熱交換器１５に流入する。熱交換器１５内で、タンク水は、浴槽からの浴水に熱を奪われることで温度低下し、例えば５０℃程度の温度になる。この温度低下したタンク水を以下「追い焚き戻り湯」と称する。追い焚き戻り湯は、熱交換器１５から、第二タンク循環配管５０、入水切替弁１７、第一送水配管４２、循環ポンプ４、第二送水配管５１、出湯切替弁２６、第一温水配管４３、中温戻し切替弁２７、及び第五温水配管４７を通って、温水導入口１ｄから貯湯槽１内に流入する。浴槽内の浴水の温度が適温まで上昇すると、制御装置２４は、風呂循環ポンプ１４及び循環ポンプ４の動作を停止し、追い焚き運転を終了する。
【００３７】
本実施の形態の貯湯式給湯装置は、風呂熱回収運転を実行できる。風呂熱回収運転は、入浴の終了後、熱交換器１５にて、浴槽から循環する浴水によって貯湯槽１から循環するタンク水を加熱することで、浴槽内の熱を貯湯槽１内に回収する運転である。風呂熱回収運転のときには、以下のようになる。風呂循環ポンプ１４が運転され、風呂側循環回路１２に浴水が循環する。循環ポンプ４が運転され、貯湯槽１から取り出されたタンク水が次のように循環する。貯湯槽１の下部から低温配管４１へ流出した低温のタンク水は、入水切替弁１７、第一送水配管４２、循環ポンプ４、第二送水配管５１、出湯切替弁２６、第一温水配管４３、中温戻し切替弁２７、第三温水配管４５、及び第一タンク循環配管１６を通って、熱交換器１５に流入する。熱交換器１５内で、タンク水は、浴槽からの浴水の熱により加熱され、浴槽内の浴水の温度に近い温度になる。この加熱されたタンク水を以下「熱回収温水」と称する。熱回収温水は、熱交換器１５から、風呂熱回収配管３１、及び中温配管３０を通って、第二位置１ｂから貯湯槽１内に流入する。このようにして風呂熱回収運転が実施されると、貯湯槽１内で第二位置１ｂに近い高さの領域に、熱回収温水が貯留される。浴槽内の浴水の残熱の回収が終了すると、制御装置２４は、風呂循環ポンプ１４及び循環ポンプ４の動作を停止し、風呂熱回収運転を終了する。
【００３８】
本実施の形態の貯湯式給湯装置は、エア抜き運転を実行できる。エア抜き運転は、配管内のエア抜きを行うための運転である。リモコン２５にてエア抜き運転の開始の操作がされると、制御装置２４は、エア抜き運転を行う。エア抜き運転のときには、以下のようになる。循環ポンプ４が運転される。貯湯槽１の上部から取り出された高温湯が、熱交換器１５、入水切替弁１７、循環ポンプ４、ヒートポンプユニット２、出湯切替弁２６、中温戻し切替弁２７を通って、温水導入口１ｄから貯湯槽１内に流入する。同時に、貯湯槽１内の湯が第二位置１ｂから中温配管３０、風呂熱回収配管３１を通って、第二タンク循環配管５０に流入して合流する。エア抜き運転のときには、風呂循環ポンプ１４は運転されず、浴水は熱交換器１５に循環しない。このため、熱交換器１５を通る高温湯は、熱交換をせず、高温のままで温水導入口１ｄから貯湯槽１内に流入する。エア抜き運転の動作時間が所定時間を超えた場合、あるいはリモコン２５にてエア抜き運転の終了の操作がされた場合には、制御装置２４は、循環ポンプ４の動作を停止し、エア抜き運転を終了する。
【００３９】
制御装置２４は、中温水利用制御手段２４ａ、中温水利用禁止手段２４ｂ、及び中温水利用停止手段２４ｃを備える。中温水利用制御手段２４ａは、中温水が利用できるかどうかを判断し、中温取出切替弁２８に対して動作指示を送る。中温水利用制御手段２４ａは、貯湯槽１から中温配管３０へ供給される中温水の温度に基づいて、中温水が利用できるかどうかを判断する。第４の温度センサ５ｄは、第二位置１ｂと同じ高さ、またはほぼ同じ高さの位置にある。第４の温度センサ５ｄにより検出される温度は、貯湯槽１から中温配管３０へ供給される中温水の温度に等しいとみなすことができる。よって、第４の温度センサ５ｄにより、貯湯槽１から中温配管３０へ供給される中温水を検出できる。以下の説明では、第４の温度センサ５ｄにより検出される温度を「中温水検出温度」と称する。第４の温度センサ５ｄは、中温水温度検出手段に相当する。
【００４０】
例えば、以下のようにしてもよい。中温水利用制御手段２４ａは、給湯設定温度及び湯はり設定温度の少なくとも一方に基づいて、中温取出許可温度を算出する。中温取出許可温度は、給湯設定温度あるいは湯はり設定温度よりも低い温度である。中温水利用制御手段２４ａは、中温水検出温度が中温取出許可温度以下であれば、中温水利用可能と判断し、中温取出切替弁２８を中温位置にする要求を出す。中温水利用制御手段２４ａは、中温水検出温度が中温取出許可温度よりも高ければ、中温水利用不可と判断し、中温取出切替弁２８を低温位置にする要求を出す。
【００４１】
以下の説明では、中温取出切替弁２８の中温入口２８ａに供給される中温水の温度を「中温水温度」と称する。中温水利用禁止手段２４ｂは、例えば、中温水温度が現在の温度よりも高くなる可能性がある場合に、中温水利用を禁止してもよい。中温水利用禁止手段２４ｂは、例えば、貯湯槽１内の中間部の温度が上昇する可能性のある運転、あるいは貯湯槽１内の中間部の温度が急峻に変動する可能性のある運転が行われている場合に、中温水利用を禁止してもよい。これにより、設定温度よりも高い温度の湯が第一給湯管１０または第二給湯管１８へ供給されたり、給湯温度の変動が発生したりすることを確実に防止できる。中温水利用禁止手段２４ｂは、中温水利用を禁止する場合には、中温取出切替弁２８を低温位置にする要求を出す。以下の説明では、設定温度よりも高い温度の湯が第一給湯管１０または第二給湯管１８へ供給されることを「高温給湯」と称し、第一給湯管１０または第二給湯管１８を流れる湯の温度が変動することを「給湯温度変動」と称する。
【００４２】
中温水利用停止手段２４ｃは、中温水利用中に、貯湯槽１内の中間部の温度が上昇する可能性のある運転、あるいは貯湯槽１内の中間部の温度が急峻に変動する可能性のある運転を開始する要求が発生した場合には、中温取出切替弁２８を中温位置から低温位置へ切り替える要求を出す。
【００４３】
制御装置２４は、上述した中温水利用制御手段２４ａ、中温水利用禁止手段２４ｂ、及び中温水利用停止手段２４ｃからの要求に応じて、中温取出切替弁２８を低温位置から中温位置へ切り替える切替動作、及び中温取出切替弁２８を中温位置から低温位置へ切り替える切替動作を行うことができる。
【００４４】
本実施の形態において、給水温度センサ２３は、中温取出切替弁２８の低温入口２８ｂへ供給される低温水の温度を検出可能である。以下の説明では、給水温度センサ２３により検出される温度を「低温水検出温度」と称する。給水温度センサ２３は、低温水温度検出手段に相当する。また、上部温度センサ６は、貯湯槽１から一般給湯側電動混合弁７の湯側入口７ａ及び風呂給湯側電動混合弁１１の湯側入口１１ａへ供給される高温湯の温度を検出可能である。以下の説明では、上部温度センサ６により検出される温度を「高温湯検出温度」と称する。上部温度センサ６は、高温湯温度検出手段に相当する。
【００４５】
風呂給湯側電動混合弁１１は、例えば、ステッピングモータにより回転する弁体を備え、当該弁体の回転によって湯側入口１１ａの開度と水側入口１１ｂの開度との比を変えることで、湯と水の混合比を調整する。この場合、ステッピングモータの回転量に応じて混合比が変化するので、制御装置２４は、ステッピングモータの回転量の情報に対応した混合比の情報を保持することができる。以下の説明では、水側入口１１ｂからの水の混合比を最大にする状態を「水側全開」と呼び、湯側入口１１ａからの湯の混合比を最大にする状態を「湯側全開」と呼ぶことがある。水側全開は、水側入口１１ｂからの水の混合比を１００％とし、湯側入口１１ａからの湯の混合比を０％とする開度でもよい。湯側全開は、湯側入口１１ａからの湯の混合比を１００％とし、水側入口１１ｂからの水の混合比を０％とする開度でもよい。なお、一般給湯側電動混合弁７の構成は、上述した風呂給湯側電動混合弁１１の構成と同様である。
【００４６】
中温取出切替弁２８が低温位置にある場合には、制御装置２４は、低温水検出温度と、高温湯検出温度と、風呂給湯側電動混合弁１１の混合比情報とに基づいて、風呂給湯側電動混合弁１１の湯出口１１ｃから流出する湯の温度を計算により予測できる。また、中温取出切替弁２８が中温位置にある場合には、制御装置２４は、中温水検出温度と、高温湯検出温度と、風呂給湯側電動混合弁１１の混合比情報とに基づいて、風呂給湯側電動混合弁１１の湯出口１１ｃから流出する湯の温度を計算により予測できる。このようにして制御装置２４が計算した温度を以下「予測給湯温度」と呼ぶことがある。
【００４７】
中温取出切替弁２８を低温位置から中温位置へ切り替える切替動作が行われると、水側入口１１ｂに供給される水の温度が上昇する。また、中温取出切替弁２８を中温位置から低温位置へ切り替える切替動作が行われると、水側入口１１ｂに供給される水の温度が低下する。本実施の形態において、制御装置２４は、中温取出切替弁２８の切替動作を行った場合には、水側入口１１ｂに供給される水の温度の変化に起因する給湯温度の変化が抑制されるように、風呂給湯側電動混合弁１１の混合比を調整する動作を行う。以下の説明では、このときの風呂給湯側電動混合弁１１の動作を「混合比変更動作」と称する。
【００４８】
制御装置２４は、例えば以下のようにして混合比変更動作を行ってもよい。制御装置２４は、低温水検出温度と、中温水検出温度と、高温湯検出温度と、中温取出切替弁２８の切替動作の前の風呂給湯側電動混合弁１１の混合比情報とに基づいて、当該切替動作の後の予測給湯温度が当該切替動作の前の予測給湯温度に等しくなるような混合比を計算できる。制御装置２４は、そのようにして計算された混合比となるように、風呂給湯側電動混合弁１１のステッピングモータを駆動する。このように、制御装置２４は、フィードフォワード制御によって混合比変更動作を行うことができる。
【００４９】
なお、制御装置２４は、一般給湯側電動混合弁７に対しても、上述したような混合比変更動作を行ってもよい。
【００５０】
本実施の形態の制御装置２４は、第一禁止手段２４ｄ及び第二禁止手段２４ｅをさらに備える。なお、図１において、制御装置２４は、第三禁止手段２４ｆをさらに備えているが、本実施の形態の制御装置２４は、第三禁止手段２４ｆを備えなくてよい。第三禁止手段２４ｆについては、後述する実施の形態３で説明する。
【００５１】
第一禁止手段２４ｄは、中温取出切替弁２８が低温位置から中温位置への切替動作をしている最中に風呂開閉弁１３を開放することを禁止する。例えば、第一禁止手段２４ｄは、中温取出切替弁２８が低温位置から中温位置への切替動作をしている最中に、浴槽湯はりの要求が発生した場合には、風呂開閉弁１３を開放せず、浴槽湯はりを開始しないようにする。この場合、制御装置２４は、中温取出切替弁２８の切替動作の終了後に、風呂開閉弁１３を開放して浴槽湯はりを開始する。
【００５２】
仮に、中温取出切替弁２８が低温位置から中温位置への切替動作をしている最中に風呂開閉弁１３を開放して浴槽湯はりを開始したとすると、浴槽へ供給される湯の給湯温度変動及び高温給湯が発生する可能性がある。これに対し、本実施の形態であれば、第一禁止手段２４ｄを備えたことで、浴槽湯はりのときの給湯温度変動及び高温給湯を確実に防止できるので、使用者の満足度を向上させることが可能となる。
【００５３】
第二禁止手段２４ｅは、風呂開閉弁１３が開放しているときに中温取出切替弁２８が切替動作をすることを禁止する。本実施の形態では、浴槽湯はりの実行中に中温取出切替弁２８の切替動作の要求が発生した場合には、第二禁止手段２４ｅが切替動作を禁止するので、中温取出切替弁２８の切替動作を実行しない。このため、本実施の形態では、浴槽湯はりの実行中に風呂開閉弁１３を一時的に閉鎖して中温取出切替弁２８を切替動作させる必要はない。これにより、浴槽湯はりが途中で一時的に中断することを防止できるので、以下の効果が得られる。浴槽湯はりを完了するまでの時間が延びることを防止できる。浴槽湯はりの機能が故障したと使用者が勘違いすることを確実に防止できる。これらのことから、使用者の満足度を向上させることが可能となる。
【００５４】
第一禁止手段２４ｄは、中温取出切替弁２８の切替動作に伴う風呂給湯側電動混合弁１１の混合比変更動作をしている最中に風呂開閉弁１３を開放することをさらに禁止してもよい。すなわち、第一禁止手段２４ｄは、風呂給湯側電動混合弁１１の混合比変更動作をしている最中に、浴槽湯はりの要求が発生した場合には、風呂開閉弁１３を開放せず、浴槽湯はりを開始しないようにする。この場合、制御装置２４は、混合比変更動作の終了後に、風呂開閉弁１３を開放して浴槽湯はりを開始する。上記のようにすることで、浴槽湯はりのときの給湯温度変動及び高温給湯をより確実に防止できる。
【００５５】
第一禁止手段２４ｄは、中温取出切替弁２８が中温位置から低温位置への切替動作をしている最中に風呂開閉弁１３を開放することをさらに禁止してもよい。これにより、浴槽湯はりのときの給湯温度変動をより確実に防止できる。
【００５６】
あるいは、第一禁止手段２４ｄは、中温取出切替弁２８が中温位置から低温位置への切替動作をしている最中には風呂開閉弁１３を開放することを許容してもよい。すなわち、第一禁止手段２４ｄは、中温取出切替弁２８が中温位置から低温位置への切替動作をしている最中に、浴槽湯はりの要求が発生した場合には、風呂開閉弁１３を開放させ、浴槽湯はりを開始させるようにしてもよい。上記のようにすることで、浴槽湯はりの開始が遅延する頻度を低減できるので、浴槽湯はりの平均的な所要時間を短縮することができる。
【００５７】
中温取出切替弁２８が中温位置から低温位置へ切替動作するときには、風呂給湯側電動混合弁１１の水側入口１１ｂに供給される水の温度が低下するので、設定温度よりも低い側に給湯温度が変動する。設定温度よりも高い側に給湯温度が変動する場合には、使用者の満足度が低下しやすい。これに対し、設定温度よりも低い側に給湯温度が変動する場合には、使用者の満足度は低下しにくい。よって、中温取出切替弁２８が中温位置から低温位置への切替動作をしている最中には、風呂開閉弁１３を開放することを許容しても問題はない。
【００５８】
制御装置２４は、使用者が予約した湯はり完了時刻までに浴槽に湯が溜まるように浴槽に給湯する湯はり予約機能を有する。使用者は、リモコン２５を操作することで、湯はり完了時刻を予約することができる。制御装置２４は、浴槽湯はりの所要時間を予測できる。例えば、制御装置２４は、使用者により設定された湯はり湯量に基づいて、浴槽湯はりの所要時間を計算してもよい。制御装置２４は、予約された湯はり完了時刻から、当該所要時間だけ遡った時刻（以下、「予約湯はり開始時刻」と称する）になると、浴槽湯はりを自動で開始する。
【００５９】
図２は、本実施の形態において制御装置２４が行う処理を示すフローチャートである。制御装置２４は、浴槽湯はりの要求が発生すると、本フローチャートの処理を開始する。例えば、使用者がリモコン２５に対して浴槽湯はりの指示を入力すると浴槽湯はりの要求が発生する。または、湯はり予約機能において湯はり完了時刻が予約されている場合には、現在時刻が予約湯はり開始時刻に一致すると浴槽湯はりの要求が発生する。
【００６０】
浴槽湯はりの要求が発生した場合には、ステップＳ１として、制御装置２４は、中温取出切替弁２８の切替動作が実行中かどうかを判断する。中温取出切替弁２８の切替動作が実行中の場合には、ステップＳ１の処理を繰り返す。中温取出切替弁２８の切替動作が終了すると、ステップＳ２へ進み、制御装置２４は、中温取出切替弁２８の切替動作に伴う風呂給湯側電動混合弁１１の混合比変更動作が実行中かどうかを判断する。混合比変更動作が実行中の場合には、ステップＳ２の処理を繰り返す。混合比変更動作が終了すると、ステップＳ３へ進み、制御装置２４は、風呂開閉弁１３を開放し、浴槽湯はりを開始する。
【００６１】
図３及び図４は、中温取出切替弁２８が低温位置から中温位置への切替動作をしている最中に浴槽湯はりの要求が発生した場合の中温取出切替弁２８、風呂給湯側電動混合弁１１、及び風呂開閉弁１３の動作と、浴槽への給湯温度の時間的な変化の例を示すタイミングチャートである。
【００６２】
図３の例は、実施の形態１に相当するものではなく、比較例である。図３の例は、以下のようになっている。中温取出切替弁２８は、時刻ｔ２から時刻ｔ４までの間、低温位置から中温位置への切替動作をしている。その最中の時刻ｔ３において浴槽湯はりの要求が発生すると、風呂開閉弁１３を開放し、浴槽湯はりを開始する。風呂給湯側電動混合弁１１は、時刻ｔ４から時刻ｔ６までの間、中温取出切替弁２８の切替動作に伴う風呂給湯側電動混合弁１１の混合比変更動作をしている。低温位置から中温位置への切替動作の最中には、風呂給湯側電動混合弁１１の水側入口１１ｂに供給される水の温度が上昇する。このため、時刻ｔ３から時刻ｔ４までの間、浴槽への給湯温度が目標温度よりも高くなる高温給湯が発生する。このように、図３の例では、高温給湯及び給湯温度変動が発生する。
【００６３】
図４の例は、実施の形態１に相当する。図４の例では、中温取出切替弁２８の切替動作及び風呂給湯側電動混合弁１１の混合比変更動作が共に終了した状態となる時刻ｔ６になるまでは、中温取出切替弁２８の切替動作を第一禁止手段２４ｄが禁止する。このため、時刻ｔ６になってから風呂開閉弁１３を開放して浴槽湯はりが開始される。これにより、浴槽への高温給湯及び給湯温度変動を確実に防止できる。
【００６４】
なお、図３及び図４の例では、中温取出切替弁２８の切替動作の終了時に風呂給湯側電動混合弁１１の混合比変更動作を開始しているが、中温取出切替弁２８の切替動作の終了前に風呂給湯側電動混合弁１１の混合比変更動作を開始してもよい。中温取出切替弁２８の切替動作と、風呂給湯側電動混合弁１１の混合比変更動作とを時間的に並行して実行することで、切替完了までの所要時間を短縮できる。
【００６５】
図５及び図６は、風呂開閉弁１３が開放した浴槽湯はりの最中に中温取出切替弁２８の切替要求が発生した場合の中温取出切替弁２８、風呂給湯側電動混合弁１１、及び風呂開閉弁１３の動作と、浴槽への給湯温度と、浴槽への積算給湯量の時間的な変化の例を示すタイミングチャートである。
【００６６】
図５及び図６中の「中温水取出判断結果」の「可」とは、中温水利用制御手段２４ａ、中温水利用禁止手段２４ｂ、及び中温水利用停止手段２４ｃにより、中温水利用が可能と判定されていることを示す。「中温水取出判断結果」の「不可」とは、中温水利用制御手段２４ａ、中温水利用禁止手段２４ｂ、及び中温水利用停止手段２４ｃにより、中温水利用が不可と判定されていることを示す。
【００６７】
図５の例は、実施の形態１に相当するものではなく、比較例である。図５の例は、以下のようになっている。時刻ｔ１のとき、中温水取出判断結果が不可であるため、中温取出切替弁２８は低温位置にある。時刻ｔ１に風呂開閉弁１３を開放し、浴槽湯はりを開始する。時刻ｔ２に、中温水取出判断結果が不可から可に変わった結果、中温取出切替弁２８を低温位置から中温位置へ切り替える要求が発生する。その要求に応えて、時刻ｔ２に、中温取出切替弁２８の切替動作を開始するとともに、高温給湯及び給湯温度の変動を回避するため、風呂開閉弁１３を閉鎖し、浴槽湯はりを停止する。中温取出切替弁２８は、時刻ｔ２から時刻ｔ４までの間、切替動作をしている。風呂給湯側電動混合弁１１は、時刻ｔ４から時刻ｔ６までの間、中温取出切替弁２８の切替動作に伴う風呂給湯側電動混合弁１１の混合比変更動作をしている。中温取出切替弁２８の切替動作及び風呂給湯側電動混合弁１１の混合比変更動作が共に終了した状態となる時刻ｔ６になると、風呂開閉弁１３を開放して浴槽湯はりを再開する。
【００６８】
図５の例では、時刻ｔ２から時刻ｔ６までの間、浴槽湯はりが一時中断し、浴槽への積算給湯量が増加しない状態になる。このため、浴槽湯はりを完了させるまでの時間が長くなってしまう。また、浴槽湯はりが完了する前に、浴槽への給湯が一時停止してしまうことで、使用者が貯湯式給湯装置の故障を疑ってしまう可能性がある。
【００６９】
図６の例は、実施の形態１に相当する。図６の例では、風呂開閉弁１３が開放している浴槽湯はりの最中は、中温水利用制御手段２４ａ、中温水利用禁止手段２４ｂ、及び中温水利用停止手段２４ｃが中温水利用「可」と判断したとしても、中温取出切替弁２８が切替動作することを第二禁止手段２４ｅが禁止するので、中温取出切替弁２８の切替動作が実行されない。これにより、浴槽湯はりの中断を確実に防止でき、浴槽湯はりを完了させるまでの時間が延びることを防止できる。また、使用者が貯湯式給湯装置の故障を疑ってしまうこともない。
【００７０】
実施の形態２．
次に、図７及び図８を参照して、実施の形態２について説明するが、前述した実施の形態１との相違点を中心に説明し、同一部分または相当部分については説明を簡略化または省略する。
【００７１】
本実施の形態における制御装置２４は、中温取出切替弁２８が低温位置と中温位置との間で切替動作を行う前と後での給湯温度の変化量を予測し、その予測された給湯温度の変化量が第一基準値以内の場合には、第一禁止手段２４ｄを無効とし、風呂開閉弁１３を開放することを許容する。
【００７２】
図７及び図８は、実施の形態２における制御の一例を説明するための図である。図７の例では、以下のようになっている。上部温度センサ６により検出される高温湯検出温度が８０℃、第４の温度センサ５ｄにより検出される中温水検出温度が３０℃、給水温度センサ２３により検出される低温水検出温度が１０℃とする。風呂給湯側電動混合弁１１の湯と水の混合比を５０：５０とする。中温取出切替弁２８は、低温位置から中温位置へ切替動作を行う。制御装置２４は、切替動作を行う前と後の予測給湯温度を前述したようにして算出する。この例では、切替動作の前は、８０℃の高温水と１０℃の低温水とが５０：５０の混合比で混合されるので、予測給湯温度は４５℃になる。切替動作の後は、８０℃の高温水と３０℃の中温水とが５０：５０の混合比で混合されるので、予測給湯温度は５５℃になる。第一基準値を３℃とする。風呂給湯側電動混合弁１１の混合比を変えないとした場合、中温取出切替弁２８の切替動作を行う前と後での予測給湯温度の差は、５５℃−４５℃＝１０℃となり、第一基準値よりも大きくなる。このため、図７の例では、制御装置２４は、第一禁止手段２４ｄを無効とせず、実施の形態１と同様の制御を行う。
【００７３】
これに対し、図８の例では、以下のようになっている。上部温度センサ６により検出される高温湯検出温度が８０℃、第４の温度センサ５ｄにより検出される中温水検出温度が１４℃、給水温度センサ２３により検出される低温水検出温度が１０℃とする。風呂給湯側電動混合弁１１の湯と水の混合比を５０：５０とする。中温取出切替弁２８は、低温位置から中温位置へ切替動作を行う。切替動作の前は、図７の例と同様に、予測給湯温度は４５℃になる。切替動作の後は、８０℃の高温水と１４℃の中温水とが５０：５０の混合比で混合されるので、予測給湯温度は４７℃になる。風呂給湯側電動混合弁１１の混合比を変えないとした場合、中温取出切替弁２８の切替動作を行う前と後での予測給湯温度の差は、４７℃−４５℃＝２℃となり、第一基準値の３℃以内になる。この場合、制御装置２４は、第一禁止手段２４ｄを無効とし、風呂開閉弁１３を開放することを許容する。例えば、中温取出切替弁２８が低温位置から中温位置への切替動作をしている最中に、浴槽湯はりの要求が発生した場合には、制御装置２４は、当該切替動作の終了を待つことなく風呂開閉弁１３を開放し、浴槽湯はりを開始する。これにより、浴槽湯はりの開始が遅延することを防止できるので、使用者の満足度を向上させることができる。この場合、中温取出切替弁２８の切替動作に起因する給湯温度の変動については、第一基準値以内に収まると考えられるので、使用者の満足度が下がることを抑制できる。
【００７４】
上記の例では第一基準値を３℃としたが、第一基準値は、給湯温度が一時的に目標温度から外れても、使用者が不快感を抱いたり、製品不良を疑ったりしないと考えられるような値であれば、他の値でもよい。
【００７５】
さらに、本実施の形態２では、以下のようにしてもよい。第二基準値は、第一基準値よりも大きい値である。例えば第二基準値を６℃としてもよい。制御装置２４は、浴槽内に浴水が溜められているかどうかを判定できる。例えば、制御装置２４は、風呂循環ポンプ１４を運転したときの風呂側循環回路１２の水流の有無を検出するフロースイッチ（図示省略）と、浴槽の水位を検出する水位センサ（図示省略）との少なくとも一方の信号に基づいて、浴槽内に浴水が溜められているかどうかを判定してもよい。浴槽内に浴水が溜められている場合においては、制御装置２４は、中温取出切替弁２８が切替動作を行う前と後での予測給湯温度の変化量が第二基準値以内の場合には、第一禁止手段２４ｄを無効とし、風呂開閉弁１３を開放することを許容する。浴槽内に浴水が溜められている場合には、浴槽に注入された湯がすぐに浴槽内の浴水と混ざるので、使用者が感じる給湯温度の変動は比較的小さくなる。よって、給湯温度変動が多少大きくなっても問題ない。そこで、浴槽内に浴水が溜められている場合には、第一基準値よりも大きい第二基準値を設定することで、浴槽への給湯開始が遅延する頻度をさらに低下させることが可能となる。
【００７６】
実施の形態３．
次に、実施の形態３について説明するが、前述した実施の形態１との相違点を中心に説明し、同一部分または相当部分については説明を簡略化または省略する。
【００７７】
本実施の形態の制御装置２４は、第三禁止手段２４ｆをさらに備える。制御装置２４は、湯はり予約機能による給湯を開始する時点よりも前の時点、すなわち予約湯はり開始時刻よりも前の時点から、湯はり予約機能による給湯を終了する時点までの間、中温取出切替弁２８が切替動作することを禁止する。第三禁止手段２４ｆは、予約湯はり開始時刻の所定時間前の時点から、中温取出切替弁２８が切替動作することを禁止してもよい。この「所定時間」は、例えば、３０秒間、１分間などでもよい。本実施の形態であれば、中温取出切替弁２８の切替動作が、予約湯はり開始時刻よりも前の時点から禁止されるので、予約湯はり開始時刻になったときに中温取出切替弁２８が切替動作をしている状況になることを確実に防止できる。このため、予約湯はりの開始が遅延することを確実に防止でき、使用者が予約した時刻に浴槽湯はりを確実に完了することができる。
【００７８】
実施の形態４．
次に、実施の形態４について説明するが、前述した実施の形態１との相違点を中心に説明し、同一部分または相当部分については説明を簡略化または省略する。
【００７９】
本実施の形態の制御装置２４は、浴槽湯はりを開始する場合に、浴槽内に湯が残っているかどうかを判定するために、風呂循環ポンプ１４を運転し、風呂側循環回路１２に設けられたフロースイッチ（図示省略）により、水流の有無を検出する。その準備として、制御装置２４は、風呂循環ポンプ１４が空気を噛み込む空運転をしないように、浴槽湯はりの開始時に、風呂開閉弁１３を一時的に開いて、風呂側循環回路１２の流路内を満たすための呼び水を供給する。その後、制御装置２４は、風呂開閉弁１３を一旦閉鎖し、風呂循環ポンプ１４を運転し、フロースイッチにより、水流の有無を検出する。
【００８０】
呼び水の量は、風呂側循環回路１２の流路内を満たすことのできる量であればよく、例えば８Ｌ程度でもよい。本実施の形態の制御装置２４は、第一禁止手段２４ｄにより風呂開閉弁１３を開放することが禁止されている最中に、浴槽湯はりを開始させる指示をリモコン２５に対して使用者が入力した場合には、呼び水に相当する量の水を供給する間だけ第一禁止手段２４ｄを一時的に無効として風呂開閉弁１３を開放する。すなわち、制御装置２４は、中温取出切替弁２８の切替動作の最中または風呂給湯側電動混合弁１１の混合比変更動作の最中に、浴槽湯はりを開始させる指示をリモコン２５に対して使用者が入力した場合には、第一禁止手段２４ｄを一時的に無効として風呂開閉弁１３を開放し、例えば８Ｌ程度の水を浴槽へ供給した後、風呂開閉弁１３を閉鎖する。
【００８１】
実施の形態１では、中温取出切替弁２８の切替動作の最中または風呂給湯側電動混合弁１１の混合比変更動作の最中に、浴槽湯はりを開始させる指示をリモコン２５に対して使用者が入力した場合には、当該動作が終了するまで、浴槽湯はりの開始を遅延させる。このとき、浴槽湯はりがすぐに開始されないために、使用者の満足度が下がる可能性がある。これに対し、本実施の形態であれば、浴槽湯はりを開始させる指示をリモコン２５に対して使用者が入力した場合に、呼び水に相当する量の水がすぐに浴槽に供給されるので、使用者は、浴槽湯はりが正常に開始したと認識する。このため、使用者の満足度が下がることをより確実に防止できる。また、呼び水に相当する量の温水を供給した後は風呂開閉弁１３を閉鎖することで、高温給湯及び給湯温度変動を確実に防止できる。
【００８２】
本実施の形態では、浴槽湯はりの実行中以外のときには、風呂給湯側電動混合弁１１を水側全開の状態で待機させておくことが望ましい。これにより、使用者の操作に応じて呼び水を浴槽へ供給した際に、高温給湯が発生することをより確実に防止できるので、使用者の満足度が低下することをより確実に防止できる。なお、中温取出許可温度が高すぎると、風呂給湯側電動混合弁１１が水側全開の状態で待機していても、呼び水の温度が高くなりすぎる可能性がある。このため、本実施の形態では、中温取出許可温度を低め温度、例えば４０℃程度の温度に設定することが望ましい。
【００８３】
実施の形態５．
次に、実施の形態５について説明するが、前述した実施の形態１との相違点を中心に説明し、同一部分または相当部分については説明を簡略化または省略する。
【００８４】
貯湯式給湯装置の仕様によっては、各種の弁を駆動する電源ユニットの能力に制約があり、同時に駆動可能な弁の数が限られている場合がある。この場合において、例えば、使用者がシャワー等を使用中であれば、一般給湯側電動混合弁７の駆動を最優先しなければ使用者の満足度が著しく低下することが考えられる。よって、実施の形態１では、中温取出切替弁２８の切替要求が発生したときに、一般給湯側電動混合弁７が駆動中だった場合には、一般給湯側電動混合弁７の駆動が終了するまで、中温取出切替弁２８の切替動作及び風呂給湯側電動混合弁１１の混合比変更動作の開始を遅延させなければならない可能性がある。その間に浴槽湯はりの要求が発生すると、中温取出切替弁２８の切替動作及び風呂給湯側電動混合弁１１の混合比変更動作が終了するまで、浴槽湯はりの開始が遅延されるので、使用者の満足度が下がる可能性がある。
【００８５】
これに対し、本実施の形態では、浴槽湯はりを開始させる指示をリモコン２５に対して使用者が入力してから所定時間が経過した場合には、制御装置２４は、第一禁止手段２４ｄを無効として風呂開閉弁１３を開放する。この「所定時間」は、例えば、１０秒間でもよい。中温取出切替弁２８の切替動作の最大動作時間（例えば５秒間）と、風呂給湯側電動混合弁１１の混合比変更動作の最大動作時間（例えば５秒間）との和に相当する時間を「所定時間」としてもよい。本実施の形態であれば、浴槽湯はりの開始が上記所定時間以上遅延することを確実に防止できるので、使用者の満足度が下がることをより確実に防止できる。
【００８６】
実施の形態６．
次に、実施の形態６について説明するが、前述した実施の形態１との相違点を中心に説明し、同一部分または相当部分については説明を簡略化または省略する。
【００８７】
本実施の形態の貯湯式給湯装置は、第一禁止手段２４ｄにより風呂開閉弁１３を開放することが禁止されている最中に、浴槽湯はりを開始させる指示をリモコン２５に対して使用者が入力した場合に、浴槽湯はりの準備をしていることと、浴槽湯はりの開始が遅れる可能性があることとの少なくとも一方に関する情報を報知する報知手段をさらに備える。図９は、本実施の形態におけるリモコン２５の表示部２５ａの表示例を示す図である。中温取出切替弁２８の切替動作または風呂給湯側電動混合弁１１の混合比変更動作の最中に、浴槽湯はりを開始させる指示をリモコン２５に対して使用者が入力した場合には、図９に示すように、例えば「湯はり動作の準備中  開始まで数十秒間かかる可能性があります」という情報を表示部２５ａに表示してもよい。本実施の形態であれば、中温取出切替弁２８の切替動作または風呂給湯側電動混合弁１１の混合比変更動作を行っているために浴槽湯はりの開始が遅れる場合でも、浴槽湯はりの準備をしていることと、浴槽湯はりの開始が遅れる可能性があることとの少なくとも一方に関する情報を使用者に報知することで、故障ではないことを使用者が知ることができる。このため、使用者の満足度が低下することをより確実に防止できる。
【符号の説明】
【００８８】
１  貯湯槽、  １ａ  第一位置、  １ｂ  第二位置、  １ｃ  温水導入出口、  １ｄ  温水導入口、  ２  ヒートポンプユニット、  ４  循環ポンプ、  ７  一般給湯側電動混合弁、  ７ａ  湯側入口、  ７ｂ  水側入口、  ７ｃ  湯出口、  ８  高温配管、  ９，９ａ，９ｂ  給水管、  １０  第一給湯管、  １１  風呂給湯側電動混合弁、  １１ａ  湯側入口、  １１ｂ  水側入口、  １１ｃ  湯出口、  １２  風呂側循環回路、  １３  風呂開閉弁、  １４  風呂循環ポンプ、  １５  熱交換器、  １７  入水切替弁、  １８  第二給湯管、  １９  給湯用流量センサ、  ２０  給湯用温度センサ、  ２１  風呂用流量センサ、  ２２  風呂用温度センサ、  ２３  給水温度センサ、  ２４  制御装置、  ２４ａ  中温水利用制御手段、  ２４ｂ  中温水利用禁止手段、  ２４ｃ  中温水利用停止手段、  ２５  リモコン、  ２５ａ  表示部、  ２６  出湯切替弁、  ２７  中温戻し切替弁、  ２８  中温取出切替弁、  ２８ａ  中温入口、  ２８ｂ  低温入口、  ２８ｃ  水出口、  ３０  中温配管、  ３１  風呂熱回収配管、  ４０  貯湯ユニット、  ４８  ＨＰ往き配管、  ４９  ＨＰ戻り配管
【図１】
2019100672.tif 000003
【図２】
2019100672.tif 000004
【図３】
2019100672.tif 000005
【図４】
2019100672.tif 000006
【図５】
2019100672.tif 000007
【図６】
2019100672.tif 000008
【図７】
2019100672.tif 000009
【図８】
2019100672.tif 000010
【図９】
2019100672.tif 000011